【事件の表示】
　特許第６３４８１０７号発明「Ｚｎ−Ａｌ−Ｍｇコーティングを有するプレラッカー塗装された金属シートを製造する方法および対応する金属シート」の特許異議申立事件について、次のとおり決定する。
【結　論】
　特許第６３４８１０７号の特許請求の範囲を訂正請求書に添付された訂正特許請求の範囲のとおり、訂正後の請求項［１−２５］について訂正することを認める。
　特許第６３４８１０７号の請求項９ないし１２に係る特許を維持する。
　特許第６３４８１０７号の請求項１−８及び１３−２５に係る特許についての特許異議の申立てを却下する。
【理　由】
第１　主な手続の経緯等 
　
　特許第６３４８１０７号（設定登録時の請求項の数は２５。以下、「本件特許」という。）は、２０１３年（平成２５年）４月２５日（パリ条約による優先権主張外国庁受理　２０１２年（平成２４年）４月２５日　フランス共和国）を国際出願日とする特許出願である特願２０１５−５０７６５３号に係るものであって、平成３０年６月８日に設定登録され、特許掲載公報が同年同月２７日に発行された。 
　特許異議申立人　伊東多永子（以下、単に「申立人」という。）は、平成３０年１２月２５日に本件特許の請求項１ないし２５に係る発明についての特許に対して特許異議の申立てをした。
　当審において、平成３１年３月７日付けで取消理由を通知したところ、特許権者から、令和１年６月１０日に訂正請求書及び意見書が提出され、同年６月２０日付けで申立人に対して特許法第１２０条の５第５項に基づく通知をしたところ、申立人から、同年７月２５日付けで意見書が提出された。
　さらに、当審において、令和１年８月２８日付けで取消理由＜決定の予告＞を通知したところ、特許権者から、同年１１月２９日に訂正請求書（以下、当該訂正請求書による訂正請求を「本件訂正請求」という。）及び意見書が提出されたものである。
　なお、令和１年６月１０日に提出された訂正請求書は、特許法第１２０条の５第７項の規定により取り下げられたものとみなされる。
　
第２　訂正の適否についての判断
　
１　訂正の内容
　本件訂正請求による訂正の内容は、以下の訂正事項１ないし３である。ここで、訂正事項１ないし３は、訂正前の請求項１〜２５という一群の請求項を訂正するものである。また、下線については訂正箇所に当審が付したものである。
　
　訂正事項１
　特許請求の範囲の請求項１〜８を削除する。
　
　訂正事項２
　訂正前の特許請求の範囲の請求項９に
　
「以下の一連の工程」
　とあるのを、
「以下の一連の
この順序での
に訂正する。
　請求項９を直接又は間接的に引用する請求項１０〜１２についても同様の訂正を行う。
　訂正事項３
　特許請求の範囲の請求項１３〜２５を削除する。
　
２　訂正の目的の適否、新規事項の有無、特許請求の範囲の拡張・変更の存否
（１）　訂正事項１について
　訂正事項１は、訂正前の請求項１〜８を削除するものであるから、特許請求の範囲の減縮を目的とするものであって、新規事項の追加に該当せず、また、実質上特許請求の範囲を拡張し、又は変更するものではない。
　
（２）　訂正事項２について
　訂正事項２は、訂正前の請求項９においての「以下の一連の工程」との記載が、工程の順が必ずしも明りょうではなかったものを、「以下の一連のこの順序での工程」に訂正するものであるから、明瞭でない記載の釈明を目的とするものであって、新規事項の追加に該当せず、実質上特許請求の範囲を拡張し、又は変更するものではない。
　訂正事項２の請求項９の訂正に伴って訂正される請求項１０ないし１２についても同様である。
（３）　訂正事項３について
　訂正事項３は、訂正前の請求項１３〜２５を削除するものであるから、特許請求の範囲の減縮を目的とするものであって、新規事項の追加に該当せず、また、実質上特許請求の範囲を拡張し、又は変更するものではない。
３　むすび
　以上のとおりであるから、本件訂正請求による訂正は、特許法第１２０条の５第２項ただし書第１号及び第３号に掲げる事項を目的とするものであり、かつ、同条第９項において準用する同法第１２６条第５項及び第６項の規定に適合するので、訂正請求書に添付された訂正特許請求の範囲のとおり、訂正後の請求項［１−２５］について訂正することを認める。
　
第３　本件発明
　
　上記第２のとおり、本件訂正請求による訂正は認められるので、本件特許の請求項１ないし２５に係る発明（以下、それぞれ「本件発明１」ないし「本件発明２５」のようにいう。）は、令和１年１１月２９日付け訂正請求書に添付された訂正特許請求の範囲の請求項１ないし２５に記載された事項により特定される以下に記載のとおりのものである。 
　
「【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
　金属シート（１）を製造する方法であって、以下の一連のこの順序での工程：
−鋼基板（３）を浴に浸し、冷却することにより得られる金属コーティング（７）でそれぞれコーティングされた２つの面（５）を有する鋼基板（３）を用意する工程であって、
当該浴は、マグネシウムおよびアルミニウム、および場合によりＳｉ、Ｓｂ、Ｐｂ、Ｃａ、Ｍｎ、Ｓｎ、Ｌａ、Ｃｅ、Ｃｒ、Ｎｉ、Ｚｒ及びＢｉから選択される、それぞれ最大０．３重量％までの任意の添加元素、および場合により最大５重量％までの鉄からなる溶融亜鉛浴からなり、
各金属コーティング（７）は、亜鉛、０．１から２０重量％のアルミニウム、および０．１から１０重量％のマグネシウムを含み、このようにコーティングされた基板（３）は、スキンパス工程を施されている工程、
−金属コーティング（７）の外面（１５）を脱脂する工程、
−金属コーティング（７）の外面（１５）をすすぎ、乾燥させる工程、
−金属コーティング（７）の外面（１５）に、クロムを含有しない酸性変換溶液を塗布する工程であって、変換溶液が、１から２のｐＨを有する工程、
−金属コーティング（７）の外面（１５）を乾燥させる工程、
−金属コーティング（７）の外面（１５）を塗装して、電気泳動塗料を除く、メラミン架橋ポリエステル、イソシアネート架橋ポリエステル、ポリウレタンおよびビニルポリマーのハロゲン化誘導体からなる群から選択される少なくとも１つのポリマーを含む塗膜（９、１１）で各外面を被覆する工程
からなる方法。
【請求項１０】
　０．２秒から３０秒の時間の間、金属コーティング（７）の外面（１５）に酸性変換溶液が塗布される、請求項９に記載の方法。
【請求項１１】
　０．２秒から１５秒の時間の間、金属コーティング（７）の外面（１５）に酸性変換溶液が塗布される、請求項１０に記載の方法。
【請求項１２】
　０．５秒から１５秒の時間の間、金属コーティング（７）の外面（１５）に酸性変換溶液が塗布される、請求項１１に記載の方法。
【請求項１３】
（削除）
【請求項１４】
（削除）
【請求項１５】
（削除）
【請求項１６】
（削除）
【請求項１７】
（削除）
【請求項１８】
（削除）
【請求項１９】
（削除）
【請求項２０】
（削除）
【請求項２１】
（削除）
【請求項２２】
（削除）
【請求項２３】
（削除）
【請求項２４】
（削除）
【請求項２５】
（削除）」
　
第４　特許異議申立書に記載した申立理由の概要
　
　平成３０年１２月１５日に申立人が提出した特許異議申立書（以下、「特許異議申立書」という。）に記載した理由の概要は次のとおりである。
　
１　申立理由１（特許法第２９条第２項：甲１に基づく進歩性）
　本件特許の請求項１ないし８に係る発明は、本件特許の優先日前に日本国内又は外国において、頒布された甲第１号証に記載された発明及び甲第２号証に記載の技術事項に基いて、その優先日前にその発明の属する技術の分野における通常知識を有する者（以下、「当業者」という。）が容易に発明をすることができたものであって、特許法第２９条第２項の規定により特許を受けることができないものであるから、その発明に係る特許は、同法第１１３条第２号に該当し、取り消されるべきものである。
２　申立理由２（特許法第２９条第２項：甲３に基づく進歩性）
　本件特許の請求項９ないし１２に係る発明は、本件特許の優先日前に日本国内又は外国において、頒布された甲第３号証に記載された発明、甲第２号証及び甲第４号証に記載の技術事項に基いて、その優先日前に当業者が容易に発明をすることができたものであって、特許法第２９条第２項の規定により特許を受けることができないものであるから、その発明に係る特許は、同法第１１３条第２号に該当し、取り消されるべきものである。
　
３　申立理由３（特許法第２９条第２項：甲１に基づく進歩性）
　本件特許の請求項１３ないし２５に係る発明は、本件特許の優先日前に日本国内又は外国において、頒布された甲第１号証に記載された発明及び甲第２号証に記載の技術事項に基いて、その優先日前に当業者が容易に発明をすることができたものであって、特許法第２９条第２項の規定により特許を受けることができないものであるから、その発明に係る特許は、同法第１１３条第２号に該当し、取り消されるべきものである。
４　証拠方法
　甲第１号証：特開２０１１−２０６６４６号公報
　甲第２号証：特開２００１−３４８６７８号公報
　甲第３号証：国際公開第００／７１７７３号
　甲第４号証：特開２００６−２２３６３号公報
　以後、甲第１号証から甲第４号証については、それぞれ「甲１」から「甲４」という。
　
第５　取消理由＜決定の予告＞の概要
　
　令和１年８月２８日付けで通知した取消理由＜決定の予告＞の概要は、
次のとおりである。
　
１　取消理由３（明確性）
　本件特許の請求項１ないし１２及び１７ないし２４についての特許は、下記の理由で特許法第３６条第６項第２号に規定する要件を満たしていない特許出願に対してされたものであるから、同法第１１３条第４号に該当し、取り消すべきものである。
　・・・
２　取消理由１（進歩性）
　本件特許の請求項１ないし８及び１３ないし２４に係る発明は、本件特許の優先日前に日本国内又は外国において、頒布された下記の刊行物に記載された発明又は電気通信回線を通じて公衆に利用可能となった発明に基いて、当業者が容易に発明をすることができたものであって、特許法第２９条第２項の規定により特許を受けることができないから、本件特許の請求項１ないし８及び１３ないし２４についての特許は、特許法第１１３条第２号に該当し、取り消すべきものである。
・・・
　　　　　　　　　　　　　記
・・・　　
刊行物
　特開２０１１−２０６６４６号公報（特許異議申立書の証拠方法である甲１）
　特開２００１−３４８６７８号公報（特許異議申立書の証拠方法である甲２）
・・・
　なお、当審からの取消理由＜決定の予告＞の取消理由１（進歩性）は、特許異議申立書に記載の申立理由１及び３と同趣旨である。
　
第６　取消理由＜決定の予告＞についての当審の判断
　
　取消理由１（進歩性）についての対象となる請求項１ないし８、１３ないし２４は、本件訂正請求により削除されたので、取消理由１（進歩性）は解消された。
　取消理由３（明確性）については、本件訂正請求により、一部対象となる請求項が削除されると共に、訂正前の請求項９の「以下の一連の工程」との記載が「以下の一連のこの順序での工程」に訂正されることで明りょうとなったので、取消理由３（明確性）も解消された。
　
第７　取消理由＜決定の予告＞で採用しなかった特許異議申立書に記載の申立理由について
　
　当審からの取消理由＜決定の予告＞で採用しなかった特許異議申立書に記載の申立理由は、訂正前の請求項９〜１２に対する申立理由２（甲３に基づく進歩性）であるので、当該申立理由２についての判断を以下に示す。
　なお、申立理由３のうち請求項２５に係る特許に対するものは、上述のとおり本件訂正請求により請求項２５が削除されたので、理由がないことが明らかである。
　
１　甲３の記載事項
　甲３には、以下の記載がある。
（１）　「本発明の塗装鋼板は下地処理したZn−Mg−Al−Si合金めっき鋼板の上に有機被覆層を有することを特徴としている。有機被膜としてはポリオレフィン樹脂、アクリル樹脂、ウレタン樹脂、エポキシ樹脂、ポリエステル樹脂、塩化ビニル樹脂、フッ素系樹脂、ブチラール樹脂、ポリカーボネート樹脂、フェノール樹脂などである。これらの混合物や共重合物も使用できる。また、これらにイソシアネート樹脂、アミノ樹脂、シランカップリング剤あるいはチタンカップリング剤等を補助成分として併用することができる。本発明による塗装鋼板は加工後に補修をされずにそのまま使用されるケースが多いので、厳しい加工が施される用途では、ポリエステル樹脂をメラミンで架橋する樹脂系、ポリエステル樹脂をウレタン樹脂（イソシアネート、イソシアネート樹脂）で架橋する樹脂系、塩化ビニル樹脂系、フッ素樹脂系（溶剤可溶型、 アクリル樹脂との分散混合型）が望ましい。」（第２６頁第１３行〜第２６行）
　
（２）　「（実施例14） 
　厚さ0.8mmの冷延鋼板を準備し、これに450℃のZn―３％Mg−11％Al−0.2％Si系めっき浴で３秒溶融めっきを行い、Ｎ２ワイピングでめっき付着量を135ｇ／ｍ２に調整した。なお、下層にはNiプレめっき層を施した。得られためっき鋼板のめっき層中組成は、Mg３％、A1５％、Si0.15％であった。
　めっき鋼板は、脱脂剤として日本パーカライジング（株）製FC-364Sを使用し、２重量％の水溶液とし、60℃、10秒間浸潰し、その後、水洗、乾燥の工程で脱脂処理を行った。次いで、表21に示す組成の下地処理材を塗布し熱風乾燥炉で乾燥した。乾燥時の到達板温は150℃とした。タンニン酸としては「タンニン酸AL」富士化学工業（株）製、「BREWTAN」（オムニケム社製）、TANAL1 (オムニケム社製）を使用した。シリカとしては「スノーテックスN、表中ではST―Nと記載」（日産化学工業（株）製）を使用した。
　次に、下塗り塗装として日本ペイント（株）製P641プライマー塗料（ポリエステル樹脂系、表中の樹脂種はポリエステルとした）、日本ペイント（株）製P108ブライマー（エポキシ樹脂系、表中の樹脂種はエポキシとした）、日本ペイント製P304プライマー（ウレタン樹脂系、表中の樹脂種はウレタンとした）の防錆顔料を表21に記載した防錆顔料（亜リン酸亜鉛、カルシウムシリケート、バナジン酸／リン酸混合系、モリブデン酸系）に変更したものをバーコーダーで塗布し、熱風乾燥炉で最高到達板温が220℃となる条件で焼き付けて膜厚を15μｍになるように調整した。下塗り塗装の上に、上塗り塗装として、日本ペイント（株）製FL100HQ (ポリエステル樹脂系）をバーコーターで塗布し、熱風乾燥炉で到達板温が220℃となる条件で焼き付けて膜厚を15μｍに調整した。」（第６７頁第１行〜第２６行）
（３）「
　　　」（第６９頁）
　
２　甲３に記載された発明
　上記１（２）及び（３）の記載から、甲３には次の発明（以下、「甲３発明」という。）が記載されていると認める。
　
＜甲３発明＞
「塗装鋼板の製造方法であって、以下の一連のこの順序での工程、
　鋼板を浴に浸し、めっき層を形成し、両面にめっき層を有するめっき鋼板を用意する工程、
　前記浴は、溶融Zn−３％Mg−１１％Al−０．２％Si系合金めっき浴であり
　めっき層は、亜鉛、３％マグネシウム、５％のアルミニウムを含み、
　各めっき層の外面を脱脂する工程、
　各めっき層の外面を水洗、乾燥させる工程、
　めっき層の外面にタンニン酸を含む溶液を塗布する工程、
　めっき層の外面を乾燥させる工程、
　めっき層の外面に、日本ペイント（株）製ＦＬ１００ＨＱ（ポリエステル樹脂系）を塗布し、外面を被覆する工程、
　からなる方法。」
３　甲２の記載の記載事項
　甲２には、以下の記載がある。
（１）「【００１４】めっき層表面を酸等でエッチングすると、酸に溶解しやすいＺｎ2Ｍｇ相が優先的にエッチングされ、めっき層表面に微細な凹凸が形成される。他方、Ｔｉ−Ｂ系，Ｔｉ−Ａｌ系，Ａｌ−Ｂ系析出物はエッチング後のめっき層表面に残るため、めっき層表面の硬度が上昇する。エッチングに使用される酸には、塩酸，硝酸等がある。機械的な方法、たとえばブラッシング，ダル加工，ブラスティング等の方法でめっき層表面に凹凸をつけることもできる。この場合、軟らかいＡｌ相，Ｚｎ相が優先的に除去され、或いは軟らかいＡｌ相，Ｚｎ相がダルロール等で圧下され、Ｔｉ−Ｂ系，Ｔｉ−Ａｌ系，Ａｌ−Ｂ系の硬質析出物が残るためめっき層表面が硬質化する。めっき層表面の凹凸は、他のめっき材と同様にダルロールの表面粗さや研磨剤又は研掃剤の材質及び粒径によって変えることができる。」
　
（２）「【００３５】
【実施例４】研削ベルトを用いたブラッシング，ダルロールによる圧延及びブラスティングによりめっき層を粗面化し、めっき層表面に凹凸を付けた溶融亜鉛めっき鋼板を製造した。得られた溶融亜鉛めっき鋼板の表面を観察したところ、表７に示されるように、Ａｌ相やＺｎ相が研削ベルトやスチールショットで機械的に除去された跡又はダルロールによる圧下跡が検出された試験番号１〜７では、表面粗さがＲａ１．９〜４．４μｍの微細な凹凸がめっき層表面に付けられており、Ｔｉ−Ｂ系，Ｔｉ−Ａｌ系，Ａｌ−Ｂ系の硬質析出物も検出された。他方、めっき組成の異なる試験番号８〜１１では、表面粗さＲａ１．１μｍの微細な凹凸が検出されたものの、軟らかいＺｎ相だけでＴｉ−Ｂ系，Ｔｉ−Ａｌ系，Ａｌ−Ｂ系の硬質析出物が検出されなかった。」
（３）「【００３７】
」
　
４　甲４の記載の技術事項
　甲４には、以下の記載がある。
（１）「【実施例３】
【０１１７】
　まず、表２に示すめっき鋼板を準備し、これらのめっき鋼板を脱脂した後、表４に示す薬剤を用いて表５〜７に示す組成の下地処理剤を塗布し熱風乾燥炉で乾燥した。乾燥時の到達板温は１５０℃とした。」
（２）「【０１２９】
」
（３）「【０１３１】
」
５　本件発明９と甲３発明との対比・判断
　甲３発明の「塗装鋼板」、「鋼板」、「めっき層」、「両面」、「水洗」は、それぞれ、本件発明９の「金属シート（１）」、「鋼基板（３）」、「金属コーティング（７）」、「２つの面（５）」、「すすぎ」に相当する。
　甲３発明の「浴」の組成からみて、甲３発明の「浴」は、本件発明９の「当該浴は、マグネシウムおよびアルミニウム、および場合によりＳｉ、Ｓｂ、Ｐｂ、Ｃａ、Ｍｎ、Ｓｎ、Ｌａ、Ｃｅ、Ｃｒ、Ｎｉ、Ｚｒ及びＢｉから選択される、それぞれ最大０．３重量％までの任意の添加元素、および場合により最大５重量％までの鉄からなる溶融亜鉛浴からなり」に相当する。
　また、甲３発明の「めっき層」は、「亜鉛、３％マグネシウム、５％のアルミニウムを含」むものであることから、甲３発明の「めっき層」は、本件発明９の「各金属コーティング（７）は、亜鉛、０．１から２０重量％のアルミニウム、および０．１から１０重量％のマグネシウムを含み」を満足している。
　甲３発明の「めっき層の外面にタンニン酸を含む溶液を塗布する工程」は、本件発明９の「−金属コーティング（７）の外面（１５）に、クロムを含有しない変換溶液を塗布する工程」に相当する。
　甲３発明の「めっき層の外面に、日本ペイント（株）製ＦＬ１００ＨＱ（ポリエステル樹脂系）を塗布し、外面を被覆する工程」部分は、本件発明９の「金属コーティング（７）の外面（１５）を塗装して、電気泳動塗料を除く、ポリエステルを含む塗膜（９、１１）で各外面を被覆する工程」に相当する。
　
　そうすると、本件発明９と甲３発明とは、
　「金属シート（１）を製造する方法であって、以下の一連のこの順序での工程：
−鋼基板（３）を浴に浸し、冷却することにより得られる金属コーティング（７）でそれぞれコーティングされた２つの面（５）を有する鋼基板（３）を用意する工程であって、
当該浴は、マグネシウムおよびアルミニウム、および場合によりＳｉ、Ｓｂ、Ｐｂ、Ｃａ、Ｍｎ、Ｓｎ、Ｌａ、Ｃｅ、Ｃｒ、Ｎｉ、Ｚｒ及びＢｉから選択される、それぞれ最大０．３重量％までの任意の添加元素、および場合により最大５重量％までの鉄からなる溶融亜鉛浴からなり、
各金属コーティング（７）は、亜鉛、０．１から２０重量％のアルミニウム、および０．１から１０重量％のマグネシウムを含み、
−金属コーティング（７）の外面（１５）を脱脂する工程、
−金属コーティング（７）の外面（１５）をすすぎ、乾燥させる工程、
−金属コーティング（７）の外面（１５）に、クロムを含有しない酸性変換溶液を塗布する工程
−金属コーティング（７）の外面（１５）を乾燥させる工程、
−金属コーティング（７）の外面（１５）を塗装して、電気泳動塗料を除く、ポリエステルポリマーを含む塗膜（９、１１）で各外面を被覆する工程
からなる方法。」
　
の点で一致し、下記の相違点１ないし３で相違する。
　
＜相違点１＞
　脱脂する工程の前に、本件発明９は、「このようにコーティングされた基板（３）は、スキンパス工程を施されている工程」を有することを特定するのに対し、甲３発明は、この点を特定しない点。
　
＜相違点２＞
　「金属コーティング（７）の外面にクロムを含有しない酸性変換溶液を塗布する工程」に関し、本件発明９における「変換溶液」は、「１から２のｐＨを有する」と特定するのに対し、甲３発明における「変換溶液」は、ｐＨが特定されていない点。
　
＜相違点３＞
　「金属コーティング（７）の外面（１５）を塗装して、電気泳動塗料を除く、ポリエステルポリマーを含む塗膜（９、１１）で各外面を被覆する工程」に関し、本件発明９は、「メラミン架橋ポリエステル、イソシアネート架橋ポリエステル」と特定するのに対し、甲３発明は、「日本ペイント（株）製ＦＬ１００ＨＱ（ポリエステル樹脂系）」である点。
　事案に鑑み、まず、相違点２について検討する。
　甲３発明の酸性変換溶液である「タンニン酸」は弱酸であるから、そのｐＨが１〜２ではない。また、甲３のいずれの記載をみても、酸性変換溶液としてｐＨ１〜２のものを利用することについての記載も示唆もない。そして、甲２及び甲４においても、酸性変換溶液として、そのｐＨが１〜２のものを利用することについての記載はない。なお、甲４において、タンニン酸と同列に記載されているのは、弱酸である没食子酸のみである。
　してみれば、甲３発明の酸性変換溶液の発明特定事項として、相違点２に係る構成とすることは、当業者においても想到容易でない。
　申立人は、申立人の申立理由２に係る上記相違点２に関し、特許異議申立書の４３頁において、「酸性変換溶液が１から２のｐＨを有する」具体的な溶液は、本件特許明細書の段落【００３４】によれば「ヘキサフルオロチタン酸」又は「ヘキサフルオロジルコン酸」といえることを前提として、甲４には、「ヘキサフルオロチタン酸」又は「ヘキサフルオロジルコン酸」をタンニン酸と併用することが記載されているので、甲３発明のタンニン酸に代えて、「ヘキサフルオロチタン酸」又は「ヘキサフルオロジルコン酸」を利用することは容易であるから、相違点２は容易である旨主張（以下、「主張１」という。）する。
　また、申立人は、上記相違点２について、令和１年７月２５日提出の意見書の９頁において、変換溶液が１から２のｐＨを有することは、当業者の技術常識であり、甲４にｐＨが１から２の変換溶液が示されている旨主張（以下、「主張２」という。）する。
　主張１について検討するに、本件特許明細書の段落【００３４】をみても、「ヘキサフルオロチタン酸」又は「ヘキサフルオロジルコン酸」のｐＨが１から２であるとはいえず、「ヘキサフルオロチタン酸」又は「ヘキサフルオロジルコン酸」のｐＨが１から２であることを示す証拠もないから、申立人の主張は、その前提において誤りである。さらにいえば、甲４において、ポリフェノール化合物（ｆ）として「タンニン酸」と同列に記載されているのは弱酸である「没食子酸」のみであって、「ヘキサフルオロチタン酸」又は「ヘキサフルオロジルコン酸」は別の分類項目である「リン酸、ヘキサフルオロ金属酸（ｇ）」として記載されているものであるから、甲４の記載をみても、相違点２が想到容易ということはできない。
　次に、主張２について検討すると、申立人の提示した証拠には、「変換溶液」が１から２のｐＨを有することについての記載はなく、甲４にも、ｐＨが１から２の変換溶液の記載はないから、当該主張２も失当であって採用できない。　
　よって、他の相違点について検討するまでもなく、本件発明９は、甲３発明及び他の甲号証に記載された技術的事項に基いて当業者が容易に発明をすることができたものとはいえない。
６　本件発明１０ないし１２と甲３発明との対比・判断
　請求項１０ないし１２は請求項９を直接又は間接的に引用するものであり、本件発明１０ないし１２は、本件発明９をさらに限定したものであるから、本件発明９と同様に、甲３発明及び他の甲号証に記載された技術的事項に基いて当業者が容易に発明をすることができたものであるとはいえない。
７　まとめ
　よって、本件発明９ないし１２に対する特許異議申立書に記載の申立理由２は、理由がない。
　
第８　むすび 
　
　以上のとおりであるから、当審において通知した取消理由＜決定の予告＞及び特許異議申立書に記載の申立理由によっては、本件特許の請求項９ないし１２に係る特許を取り消すことはできない。
　また、他に本件特許の請求項９ないし１２に係る特許を取り消すべき理由を発見しない。
　本件特許の請求項１〜８及び１３〜２５に係る特許は、上記第２のとおり、本件訂正請求により削除された。これにより、請求項１〜８及び１３〜２５に係る特許に対する申立人による特許異議の申立ては、申立ての対象が存在しないものとなったため、特許法第１２０条の８第１項で準用する同法第１３５条の規定により却下する。
　
　よって、結論のとおり決定する。
【異議決定日】
令和２年１月１０日（２０２０．１．１０）
【訂正の要旨】
審決（決定）の【理由】欄参照。
（５７）【特許請求の範囲】
　【請求項１】
　
（削除）
　【請求項２】
　
（削除）
　【請求項３】
　
（削除）
　【請求項４】
　
（削除）
　【請求項５】
　
（削除）
　【請求項６】
　
（削除）
　【請求項７】
　
（削除）
　【請求項８】
　
（削除）
　【請求項９】
　金属シート（１）を製造する方法であって、以下の一連の
この順序での
−鋼基板（３）を浴に浸し、冷却することにより得られる金属コーティング（７）でそれぞれコーティングされた２つの面（５）を有する鋼基板（３）を用意する工程であって、
当該浴は、マグネシウムおよびアルミニウム、および場合によりＳｉ、Ｓｂ、Ｐｂ、Ｃａ、Ｍｎ、Ｓｎ、Ｌａ、Ｃｅ、Ｃｒ、Ｎｉ、Ｚｒ及びＢｉから選択される、それぞれ最大０．３重量％までの任意の添加元素、および場合により最大５重量％までの鉄からなる溶融亜鉛浴からなり、
各金属コーティング（７）は、亜鉛、０．１から２０重量％のアルミニウム、および０．１から１０重量％のマグネシウムを含み、このようにコーティングされた基板（３）は、スキンパス工程を施されている工程、
−金属コーティング（７）の外面（１５）を脱脂する工程、
−金属コーティング（７）の外面（１５）をすすぎ、乾燥させる工程、
−金属コーティング（７）の外面（１５）に、クロムを含有しない酸性変換溶液を塗布する工程であって、変換溶液が、１から２のｐＨを有する工程、
−金属コーティング（７）の外面（１５）を乾燥させる工程、
−金属コーティング（７）の外面（１５）を塗装して、電気泳動塗料を除く、メラミン架橋ポリエステル、イソシアネート架橋ポリエステル、ポリウレタンおよびビニルポリマーのハロゲン化誘導体からなる群から選択される少なくとも１つのポリマーを含む塗膜（９、１１）で各外面を被覆する工程
からなる方法。
　【請求項１０】
　０．２秒から３０秒の時間の間、金属コーティング（７）の外面（１５）に酸性変換溶液が塗布される、請求項９に記載の方法。
　【請求項１１】
　０．２秒から１５秒の時間の間、金属コーティング（７）の外面（１５）に酸性変換溶液が塗布される、請求項１０に記載の方法。
　【請求項１２】
　０．５秒から１５秒の時間の間、金属コーティング（７）の外面（１５）に酸性変換溶液が塗布される、請求項１１に記載の方法。
　【請求項１３】
　
（削除）
　【請求項１４】
　
（削除）
　【請求項１５】
　
（削除）
　【請求項１６】
　
（削除）
　【請求項１７】
　
（削除）
　【請求項１８】
　
（削除）
　【請求項１９】
　
（削除）
　【請求項２０】
　
（削除）
　【請求項２１】
　
（削除）
　【請求項２２】
　
（削除）
　【請求項２３】
　
（削除）
　【請求項２４】
　
（削除）
　【請求項２５】
　
（削除）